(57)【要約】　　　（修正有）【課題】土中に埋設された鋳鉄製等の管路に使用されるサドル付分水栓の袋ナット等の袋ナットに犠牲陽極取付装置を簡易に且つ確実に装着するための装置。【解決手段】犠牲陽極取付装置の固定金具の形状は被防蝕体固定部である袋ナットに嵌合する明確な目的を持って固定金具内部が六角形状を成し、六角形覆板の中央部に螺子用孔を設けており、該六角形覆板の端部が垂直に屈曲し六面周壁を有し内部が六角形状中空の袋形状を成している。また固定金具の嵌合により袋ナットは固定金具によって覆包され且つ弾性構造を有する圧止部によって６方向から挟持されているため確実に固定されている。そのため地震による振動や道路上面を通行する車輌等の振動によって犠牲陽極取付装置が前後左右及び上下に動く場合があっても係止部によって確実に係止される。【選択図】　図１
2004143572.tif 000002
【特許請求の範囲】
【請求項１】
土中埋設管路に設けられるサドル付分水栓等の被防食体に着脱自在に装着勘合固定される固定金具と該固定金具に螺合接続された略Ｌ字導通板を介して該略Ｌ字導通板に螺合接続された犠牲陽極部材からなる犠牲陽極取付装置。
【請求項２】
前記固定金具は、六角形覆板と六面周壁が一体成型で蓋形状を成しており該六角形覆板の中心部には螺子用孔を有し、該六面周壁の各面は縦方向に２本の切込を平行に有しており該切込間面は円弧状に内方に押圧変形された弾性構造を成した圧止部と、該六面周壁の各下端部は外方に屈曲され屈曲線上に内方に突出した係止部からなる請求項１記載の犠牲陽極取付装置。
【請求項３】
前記略Ｌ字導通板は水平面部と垂直面部に螺子用孔を有し、前記犠牲陽極部材は少なくとも１面は平面で該平面中央部に雌螺子孔を有し、前記固定金具及び該Ｌ字導電板及び該犠牲陽極部材がボルト乃至ナットで一体接合されることを特徴とする前記請求項１記載の犠牲陽極取付装置。
【請求項４】
前記固定金具の該弾性構造により該被防食体に対して確実に線乃至面で接合することを特徴とする前記請求項１記載の犠牲陽極取付装置。
【発明の詳細な説明】
【０００１】
【発明の属する技術分野】
本発明は、犠牲陽極の防蝕原理を応用した取付装置に関し、土中に埋設された鋳鉄製等の管路に使用されるサドル付分水栓の袋ナットに犠牲陽極取付装置を簡易に且つ確実に装着するための装置に関する。
【０００２】
【従来の技術】
金属のイオン化傾向によりイオンになり易い金属となり難い金属が接触した場合、イオン化傾向の貴な金属は自らイオンとなって溶け出して腐食しイオン化傾向の卑な金属を腐食から守る働きがある。
【０００３】
土中に埋設されている鋳鉄製の管路等の分岐部には、砲金製のサドル付分水栓が取り付けられていることが多い。この異種金属である鋳鉄製管路と砲金製サドル付分水栓間に電流が発生し、イオン化傾向の貴な砲金製サドル分水栓からイオンが溶出してサドル分水栓の腐食が起きることになる。
【０００４】
このサドル付分水栓の腐食を防止する対策として、砲金製サドル付分水栓よりイオン化傾向が貴な金属、例えば亜鉛材をサドル付分水栓に通電状態で接続することにより、この亜鉛が犠牲陽極として働きサドル付分水栓を防蝕する所謂犠牲陽極防蝕方法が知られている。この犠牲陽極防蝕原理を応用しサドル付分水栓に簡単に犠牲陽極を取り付ける方法として特開平８−１９９３８１、１１−３２３５８１及び特開２０００−４５０８５等が提案されている。
【０００５】
【発明が解決しようとする課題】
上記従来の方法は、例えば特開平８−１９９３８１及び１１−３２３５８１の実施例では、周壁を有する蓋を犠牲陽極体に固定し、この蓋もしくは犠牲陽極体の蓋側に雌ネジ部を設け、この雌ネジ部と螺合するボルトを立設した固定金具の周囲に前記周壁が当接する複数の爪を設けると共に、分水栓等の被防食体に設けたナット部等の取付部を前記固定金具の爪で、前記ボルトに雌ネジ部を螺合しながら前記周壁で爪を内側に押圧変位させて被防食体に犠牲陽極体を固定するようにしたものである。
【０００６】
しかしながら、上記従来の方法は周壁が当接する複数の爪を有しボルトを立設した固定金具は、雌ネジ部を設けた犠牲陽極体の蓋を螺合しながら装着に際し、十分に変位する必要がある軟質材料を使用しなければならず、この条件を満たすために軟質材料をした場合、該爪も同様に容易に変位するため固定金具の役割を十分に果たすことにならない。また硬質材料を使用した場合においては周壁の変位が難易となり蓋の装着が難しくなる。更に硬質材料の場合、被防食体と周壁間に隙間が生じ十分な通電効果が望めなくなる。
【０００７】
また、例えば特開２０００−４５０８５の実施例では、平面状のアノード（犠牲陽極）の取付座と、この取付座に対して内向き鋭角に曲げ加工されて下向きに絞り込んだ複数の脚と、それぞれの脚の先端部を外向きに拡開した外反部とを導電材料で一体に成形した固定金具と、前記外反部に対して外周側から絞り込んだバネ性を有する緊縮リングとからなり、前記固定金具を袋ナットなどの防食脚体（被防蝕体）に嵌合するという手段を用いている。
【０００８】
しかしながら、上記従来の方法は、複数の脚を有する固定金具の脚間に間隙があり、地震やサドル付分水栓を埋設した上部道路上の車輌通行等により固定金具が被防蝕体と固定金具の接触点を支点として前後左右及び上下に動く場合が多い。この固定金具の動きに連動して圧迫された固定金具周辺の土砂が脚間の隙間を通して進入する。更に進入した土砂が脚部を外方向に押し広げ被防蝕体と固定金具間の隙間を拡大させこの拡大した隙間に土砂が進入する。この現象が繰り返されることにより被防蝕体と固定金具間に接触部が無くなり導電効果が消滅する。
【０００９】
本発明は上述した従来の実施例の課題を解決するものであり、サドル付分水栓等の被防蝕体への犠牲陽極取付装置の着脱が容易で、犠牲陽極取付装置の固定金具を線乃至面でサドル付分水栓等の被防蝕体と接合させることにより導電効果を確実にすることを目的とするものである。
【００１０】
【課題を解決するための手段】
上記目的を達成するために、本発明による犠牲陽極取付装置は、犠牲陽極防蝕原理となる円筒状亜鉛材料の少なくとも１面が平面で該平面部に雌螺子孔を設けた犠牲陽極部材と、螺子用孔を有した六角形覆板の各端部が垂直に折曲して六面周壁を有する一体構造の蓋形状を成しており該六面周壁の各面は縦方向に２本の切込を平行に有し該切込間面は円弧状に内方に押圧変形された弾性構造を成した圧止部を有し該六面周壁の各下端部は外方に屈曲され屈曲線上に内方に突出した係止部から成る固定金具と、略Ｌ字形状の垂直部中央部に当該犠牲陽極部材と螺合接合用の螺子用孔を有し略Ｌ字形状の水平部中央部には当該固定金具と螺合接合用の螺子用孔を有した略Ｌ字導通板とで構成されている。
【００１１】
【発明の実施の形態】
以下、本発明の実施の形態を説明する。図１において、亜鉛材料で円筒形に成形された犠牲陽極部材１１は少なくとも１面が平面１１１を有しており、該平面１１１中央部に雌螺子用孔１１２が設けられている。尚、犠牲陽極部材１１は少なくとも１面が平面であれば円筒形状でなくとも良い。略Ｌ字導通板１２の垂直部１２２の中央部には螺子用孔１２３を有しており螺子１１３によって略Ｌ字導通板１２の垂直部１２２と犠牲陽極部材１１の平面１１１が面で螺子により固定接合される。
【００１２】
固定金具１３の六角形覆板１３１の中央部に螺子用孔１３２を有し、略Ｌ字導通板１１の水平部１２１の中央部には螺子用孔１２４を設けている。螺子１３７によって六角形覆板１３１と略Ｌ字導通板１１の水平部１２１は面で螺子により固定接合されている。
【００１３】
上記の各部材を面で接合することにより、図２に示すように亜鉛材料の犠牲陽極部材１１からイオン化傾向によって発生した電子が略Ｌ字導通板１２を介して固定金具１３に通電される。
【００１４】
図３において、被防蝕体であるサドル付分水栓２の被固定部である袋ナット２１は、図４に示す管路３にサドル付分水栓２を通して管路３に穴開け装着後漏水等を防止するためキャップとしてスパナ等で締付ける必要があることから六角ボルト頭形状となっている。
【００１５】
従い、固定金具１３の形状は上記被防蝕体固定部である袋ナット２１に嵌合する明確な目的持って中空が六角形状を成している。図５は固定金具１３の平面図及び側面図、図６は図５におけるＡ−Ａ部の断面図である。図５及び図６において六角形覆板１３１の中央部に螺子用孔１３２を設けている。該六角形覆板１３１の端部が垂直に屈曲し六面周壁１３３を有し内部が六角形状中空の袋形状を成している。各該六角周壁１３３は縦方向に切込１３４が平行に設けてあり該切込１３４間の面部は内方に押圧されて圧止部１３５を成形している。該六角周壁１３３の下端部は鈍角に外方に屈曲している。該屈曲線上には内方に突出した係止部１３６を設けている。
【００１６】
上述の実施の形態により、被防蝕体でサドル付分水栓の袋ナット２１に本発明である犠牲陽極取付装置の固定金具１３を嵌合した場合、弾性構造である該圧止部１３５によって袋ナット２１が６方向から挟持され確実に固定されることになる。また固定金具１３は袋形状であることから袋ナット２１を覆包し外部からの土砂等の浸入を防ぐ。
【００１７】
固定金具１３の嵌合により袋ナット２１は固定金具１３によって覆包され且つ弾性構造を有する圧止部１３５によって６方向から挟持されているため確実に固定されているが、地震による振動や道路上面を通行する車輌等の振動によって犠牲陽極取付装置１が前後左右及び上下に動く場合があっても係止部１３６によって確実に係止される。
【００１８】
犠牲陽極取付装置１の固定金具１３は弾性構造の圧止部１３５を有し嵌合する袋ナット２１に６方向から挟持しているため、袋ナット２１に対して線または面で確実に接触している。従い犠牲陽極防蝕原理に基づき犠牲陽極部材１１から発生した電子は略Ｌ字導通板１２及び固定金具１３と介して確実に被防蝕体であるサドル付分水栓２に通電され、該サドル付分水栓２が防蝕される。
【００１９】
図４は上記の説明の補足として鋳鉄製等の管路３にサドル付分水栓２を装着し該サドル付分水栓２の袋ナット２１に嵌合固定された犠牲陽極取付装置１の状態を示したものである。また図３の通り、犠牲陽極取付装置１を被防蝕体であるサドル付分水栓２の袋ナット２１に押込んで嵌合するだけであるので、装着が容易であり、取外しの場合は犠牲陽極装置１を上方に引抜くだけで着脱が容易である。
【００２０】
尚、サドル付分水栓２の袋ナット２１における六角ボルト頭形状の寸法は呼び寸法で２５ｍｍと５０ｍｍの２寸法であるが、袋ナット２１の寸法に合わせて固定金具１３の寸法を変える。また犠牲陽極部材１１の材質を亜鉛材としたが、被防蝕体であるサドル付分水栓の材質よりイオン化傾向が貴であれば、どのような材質でも良い。尚、略Ｌ字導通板１２及び固定金具１３の材質は通電性材料で且つイオン化傾向が犠牲陽極部材１１より卑であればどのような材料でも良い。
【００２１】
【発明の効果】
以上本発明では、サドル付分水栓の袋ナットに犠牲陽極取付装置の固定金具を押し込むだけで容易に装着が出来、また取外しの際は上方に引抜くだけで犠牲陽極取付装置の取外しが可能となるため着脱が容易となる。
【００２２】
更に本発明では、犠牲陽極取付装置の固定金具が蓋形状を成しており袋ナットを覆包し外部からの土砂等の浸入を防ぐ。そのため従来の施工例の様に土砂等が当該固定金具と当該袋ナット間の隙間に侵入して通電効果が損なわれることがない。
【００２２】
また当該袋ナットは当該固定金具によって覆包され且つ弾性構造を有する圧止部によって６方向から挟持されているため確実に固定されている。そのため地震による振動や道路上面を通行する車輌等の振動によって犠牲陽極取付装置が前後左右及び上下に動く場合があっても係止部によって確実に係止される。
【図面の簡単な説明】
【図１】犠牲陽極取付装置の分解図
【図２】犠牲陽極取付装置の斜視図
【図３】犠牲陽極取付装置をサドル付分水栓に装着直前の斜視図
【図４】犠牲陽極取付装置をサドル付分水栓に装着した状態の斜視図
【図５】固定金具の平面図及び側面図
【図６】固定金具の断面図
【符号の説明】
１・・・・犠牲陽極取付装置
２・・・・サドル付分水栓
３・・・・管路
１１・・・犠牲陽極部材
１２・・・略Ｌ字導通板
１３・・・固定金具
２１・・・袋ナット
１３１・・六角形覆板
１３３・・六面周壁
１３５・・圧止部
１３６・・係止部
【図１】
2004143572.tif 000003
【図２】
2004143572.tif 000004
【図３】
2004143572.tif 000005
【図４】
2004143572.tif 000006
【図５】
2004143572.tif 000007
【図６】
2004143572.tif 000008